(57)【特許請求の範囲】
【請求項１】
容器の上端口部にキャップを螺合するキャッピングヘッドを備え、上記キャッピングヘッドは、キャップを着脱自在に保持する保持部と、この保持部に連結されたスピンドルと、スピンドルを回転自在に支持するハウジングとを備え、このスピンドルを駆動源により回転させてキャッピングを行うキャッピング装置において、
上記保持部の内部空間と上記ハウジングの内部空間とに負圧を作用させて各内部空間の大気を吸引するように構成し、上記キャッピングヘッドは、回転自在に設けた回転体の円周方向等間隔位置にそれぞれ配設されており、また、上記駆動源は、上記スピンドルの円周方向に沿ってそれと一体に設けられ、かつ隣り合う位置の磁極が異なるように配置した複数の永久磁石Ｍ１と、上記回転体が回転された際のスピンドルの移動軌跡に沿って固定して配設され、かつ隣り合う位置の磁極が異なるように配置した複数の永久磁石Ｍ２とから構成されており、
さらに、上記スピンドルは、ハウジングに貫通させて回転自在に軸支されており、上記ハウジングの上下両端の内周部とそれに対向する上記スピンドルの上下位置の外周部との間に形成された上下位置の間隙を介して大気がハウジング内に吸引されるように構成されていることを特徴とするキャッピング装置。
【請求項２】
容器の上端口部にキャップを螺合するキャッピングヘッドを備え、上記キャッピングヘッドは、キャップを着脱自在に保持する保持部と、この保持部に連結されたスピンドルと、スピンドルを回転自在に支持するハウジングとを備え、このスピンドルを駆動源により回転させてキャッピングを行うキャッピング装置において、
上記保持部の内部空間と上記ハウジングの内部空間とに負圧を作用させて各内部空間の大気を吸引するように構成し、上記スピンドルは、その下方側の外周部をハウジングから下方に貫通させてハウジングに回転自在に軸支されており、また、上記駆動源はサーボモータからなり、このサーボモータは上記ハウジングの上方側の内部に収納されて上記スピンドルと連結してあり、
さらに、上記ハウジングの上方側の開口部およびそれと連通する上記サーボモータのケーシングの開口部とを介して大気がハウジング内に吸引されるように構成するとともに、上記ハウジングの下方側の内周部とそれと対向するスピンドルの外周部との間に形成された間隙とを介して大気がハウジング内に吸引されるように構成したことを特徴とするキャッピング装置。
【発明の詳細な説明】
【０００１】
【産業上の利用分野】
本発明は容器の上端口部にキャップを取り付けるキャッピング装置の改良に関する。
【０００２】
【従来の技術】
従来、キャッピング装置として、回転自在に設けた回転体と、この回転体の円周方向複数箇所に設けられて容器の上端口部にキャップを螺合するキャッピングヘッドを備え、上記キャッピングヘッドは、キャップを着脱自在に保持する保持部と、この保持部に連結され、ハウジングに回転自在に設けたスピンドルと、このスピンドルを回転させる駆動源とを備えたものは知られている。
容器内に充填される充填物は例えば清涼飲料水なので、キャッピング装置を設けた作業領域内の環境が汚染されないように、従来ではキャッピング装置をクリーンルームに配置するようにしている。
そして、従来ではキャッピングヘッドは容器の上方側に配置してあり、かつ、その摩擦部分などから微小な摩耗粉が発生することは知られている。そのため、このような摩耗粉が作業領域に飛散することがないように、従来では、上記保持部を除いたキャッピングヘッドの主な部分をベローズで囲繞したり、あるいは、スピンドルとそれを軸支したハウジングの下端部との間にシール部材を設けている。
【０００３】
【発明が解決しようとする課題】
しかしながら、上述した従来のものでは、時間の経過とともに上記スピンドルの外周部に密着させたベローズの下方内周部が摩滅したり劣化し、また、上記シール部材も摩滅してシールを維持できなくなっていた。
そのため、ベローズの下方内周部やシール部材の内方に隙間が生じて、回転部分等から発生した微小な摩耗粉が上記隙間からキャッピングヘッドの周囲に飛散することになる。このように、ベローズやシール部材を用いた従来のものであっても、時間の経過に伴ってキャッピング装置を設けた領域の作業環境が汚染されるという欠点が指摘されていたものである。
【０００４】
【課題を解決するための手段】
このような事情に鑑み、請求項１に記載した第１発明は、容器の上端口部にキャップを螺合するキャッピングヘッドを備え、上記キャッピングヘッドは、キャップを着脱自在に保持する保持部と、この保持部に連結されたスピンドルと、スピンドルを回転自在に支持するハウジングとを備え、このスピンドルを駆動源により回転させてキャッピングを行うキャッピング装置において、
上記保持部の内部空間と上記ハウジングの内部空間とに負圧を作用させて各内部空間の大気を吸引するように構成し、上記キャッピングヘッドは、回転自在に設けた回転体の円周方向等間隔位置にそれぞれ配設されており、また、上記駆動源は、上記スピンドルの円周方向に沿ってそれと一体に設けられ、かつ隣り合う位置の磁極が異なるように配置した複数の永久磁石Ｍ１と、上記回転体が回転された際のスピンドルの移動軌跡に沿って固定して配設され、かつ隣り合う位置の磁極が異なるように配置した複数の永久磁石Ｍ２とから構成されており、
さらに、上記スピンドルは、ハウジングに貫通させて回転自在に軸支されており、上記ハウジングの上下両端の内周部とそれに対向する上記スピンドルの上下位置の外周部との間に形成された上下位置の間隙を介して大気がハウジング内に吸引されるようにしたものである。
また、請求項２に記載した第２発明は、容器の上端口部にキャップを螺合するキャッピングヘッドを備え、上記キャッピングヘッドは、キャップを着脱自在に保持する保持部と、この保持部に連結されたスピンドルと、スピンドルを回転自在に支持するハウジングとを備え、このスピンドルを駆動源により回転させてキャッピングを行うキャッピング装置において、
上記保持部の内部空間と上記ハウジングの内部空間とに負圧を作用させて各内部空間の大気を吸引するように構成し、上記スピンドルは、その下方側の外周部をハウジングから下方に貫通させてハウジングに回転自在に軸支されており、また、上記駆動源はサーボモータからなり、このサーボモータは上記ハウジングの上方側の内部に収納されて上記スピンドルと連結してあり、
さらに、上記ハウジングの上方側の開口部およびそれと連通する上記サーボモータのケーシングの開口部とを介して大気がハウジング内に吸引されるように構成するとともに、上記ハウジングの下方側の内周部とそれと対向するスピンドルの外周部との間に形成された間隙とを介して大気がハウジング内に吸引されるようにしたものである。
【０００５】
【作用】
このような構成によれば、保持部とハウジングの内部で微小な摩耗粉等が発生したとしても、保持部とハウジング内部の大気は負圧によって吸引される。つまり、保持部とハウジング内で発生した微小な摩耗粉等は、負圧によって大気とともに回収されるので、キャッピングヘッドの周囲に微小な摩耗粉等が飛散することはない。
したがって、キャッピングヘッドで発生した微小な摩耗粉によってキャッピング装置を設けた作業領域が汚染されることを良好に防止することができる。
【０００６】
【実施例】
以下、図示実施例について本発明を説明すると、図１ないし図２において、１は回転式のキャッピング装置であり、このキャッピング装置１は時計方向に連続的に回転される回転体２を備えている。
回転体２の外周部には、円周方向等間隔位置にそれぞれキャッピングヘッド３を配設してあり、これらのキャッピングヘッド３の下方側には、容器４を載置する載置台６を設けている。また、回転体２における各キャッピングヘッド３の下方側には、容器４の胴部を把持するクランプ手段５をそれぞれ配設している。
図１に示すように、回転体２の隣接位置には従来公知の供給スターホイール７および排出スターホイール８を配設してあり、さらにそれら両ホイール７，８の間の位置には従来公知の回転式のキャップ供給機構１１を配置している。
キャッピング装置１の各部の構成を説明する前に、キャッピング装置１による概略の作動を説明する。すなわち、先ず、上記回転体２が時計方向に回転することに伴って、キャップ供給位置Ａにおいてキャップ供給機構１１によって各キャッピングヘッド３の下方側に順次キャップ１２が供給される（図２参照）。キャップ供給位置Ａにおいて、各キャッピングヘッド３は、キャップ供給機構１１が供給したキャップ１２を順次保持する。
次に、回転体２の回転に伴ってキャップ１２を保持した各キャッピングヘッド３が容器供給位置Ｂまで移動すると、そのキャップ１２を保持した各キャッピングヘッド３の下方側となる載置台６上に供給スターホイール７によって容器５が供給されるようになっている。この容器５内には、上流側の工程において充填液が充填されている。また、載置台６上の容器５は、その首部および胴部を後述する両ストッパ部材２１，２２に係合されるとともに、クランプ手段５によって胴部を把持されるようになっている。これによって、容器５はキャッピングヘッド３に保持されたキャップ１２の直下位置に位置決めされる。
次に、回転体２の回転に伴って、載置台６上の容器５およびその上方側でキャップ１２を保持したキャッピングヘッド３が螺合ゾーンＣ内に移動されると、各キャッピングヘッド３が下降し、かつキャップ１２を保持したキャッピングヘッド３そのものが時計方向に回転されるので、保持部３Ａに保持したキャップ１２が容器５の上端口部に螺合される。
螺合ゾーンＣにおいて回転体２の回転に伴ってキャップ１２の取り付けが終了した容器４が螺合ゾーンＣを通過すると、キャッピングヘッド３が上昇されて容器４の上端部よりも高い上方側に復帰する。
また、回転体２の回転に伴ってキャップ１２の取り付けが完了した容器４が下流側に移送されて排出位置Ｄまで移動すると、上記クランプ手段５による容器４の把持状態が解放されるとともに、解放された容器４は排出スターホイール８によって載置台６上から回転体２の外部へ排出されるようになっている。
次に、キャッピング装置１の各部の構成について説明すると、図２において、キャッピング装置１は円筒部材１３を備えており、この円筒部材１３を図示しない下方側の固定フレームに鉛直方向に固定している。円筒部材１３は、その外周部の所定高さ位置に円板状の支持部１３Ａ、１３Ｂを備えている。
一方、上記回転体２は、回転中心側となる円筒部２Ａを備えるとともに、この円筒部２Ａにおける上方側の外周部に連結した円板状の支持部２Ｂと、円筒部２Ａにおける上記支持部２Ｂよりも下方側に連結した円板状の支持部２Ｃとを備えている。そして、この回転体２の円筒部２Ａを、上下一対のベアリング１５（上方側のみ図示）を介して上記円筒部材１３に回転自在に軸支している。
回転体２の支持部２Ｃにおける外周側の上面を上述した載置台６としてあり、また支持部２Ｃの外周縁には、円筒状のカバー１４の上端を連結している。これによって支持部２Ｃよりも下方側に位置する各構成部材を囲繞するようにしている。
支持部２Ｃにおける円周方向等間隔位置に、それぞれ筒状ガイド１６を鉛直方向に取り付けてあり、これら筒状ガイド１６の上方外周部は、上記支持部２Ｂに形成した切欠き部２Ｂ’に係合させている。そして、これらの各筒状ガイド１６に、後述するキャッピングヘッド３側のパイプ１７を摺動自在に貫通させている。
筒状ガイド１６の外周部には、上記支持部２Ｂよりも少し低い位置に第１ストッパ部材２１を外方にむけて取り付けてあり、また、それよりも下方側に第２ストッパ部材２２を取り付けている。両ストッパ部材２１，２２における外方側となる先端部には、それぞれ容器形状に合わせた凹部を形成している。これにより、容器４が載置台６に供給された際に、容器４の首部に第１ストッパ部材２１の先端凹部が係合するとともに、容器４の胴部に第２ストッパ部材２２の先端凹部が係合するようになっている。これによって、載置台６上の所定位置に容器４を位置決めしている。そして、位置決めされた容器４が位置ずれしないようにクランプ手段５によって容器４の胴部を把持している。
クランプ手段５は、容器４を把持する一対のクランプ部材２３を備えるとともに、上端部にそれらクランプ部材２３を連結した左右一対の回転軸１８を備えている。なお、図２においては、各一対のクランプ部材２３における一方側のみ表示されている。
各回転軸１８は、第２ストッパ部材２２および支持部２Ｃに貫通させてあり、かつ、それらの所定高さ位置に支持されて回転自在となっている。左右の各回転軸１８には小径の歯車２４をそれぞれ取り付けてあり、これらの隣り合う歯車２４は相互に噛合させている。これにより、各回転軸１８に連結したクランプ部材２３が同期して開閉されるようになっている。
固定側となる支持部１３Ａの下方には、円形をした環状部材２５を配置してあり、この環状部材２５における外周側の箇所に上記各回転軸１８の下方側を貫通させている。
環状部材２５側に設けた筒状の軸受等によって各回転軸１８は回転自在となっており、かつ環状部材２５と固定側の支持部１３Ａとの間隔は所定の寸法に維持されている。このように、各回転軸１８によって環状部材２５は回転体２の支持部２Ｃに連結されており、回転体２とともに回転されるようになっている。その際、環状部材２５が円滑に回転されるように、環状部材２５の内周部と固定側の筒状部材１３との間にベアリング２６を介在させている。
上記左右一対の回転軸１８のうち一方の回転軸１８の下端部には、ブラケットを介してカムフォロワ２７を回転自在に取り付けている。固定側となる支持部１３Ｂの外周部には、環状のカム部材２８を取り付けてあり、このカム部材２８のカム面に上記カムフォロワ２７を転動自在に係合させている。
この様に、本実施例の各クランプ手段５は、左右一対のクランプ部材２３，２３と、それらを連結した一対の回転軸１８，１８と、カムフォロワ２７およびカム部材２８とから構成している。
そして、回転体２が時計方向に回転される際に、容器供給位置Ｂを少し過ぎた位置から排出位置Ｄの少し手前にわたる回転領域では、上記カム部材２８によって各クランプ手段５の各一対のクランプ部材２３が閉鎖され、該各一対のクランプ部材２３によって載置台６上の容器４の胴部が把持される（図２参照）。これに対して、回転体２が回転される際に、排出位置Ｄから容器供給位置Ｂにわたる回転領域では、上記カム部材２８によって各クランプ部材２３が開放されるようになっている。これにより、排出位置Ｄにおいて、容器４が載置台６上から回転体の外部に排出できるようになっており、また、容器供給位置Ｂにおいて載置台６上に供給された容器４の胴部が開放状態の各一対のクランプ部材２３の間に挿入されるようになっている。
しかして、本実施例は、各キャッピングヘッド３を回転させる駆動源として磁力を用いたものであり、それによってキャッピングヘッド３の駆動源から摩耗粉等が発生しないように構成したものである。
すなわち、図２および図３に示すように、キャッピングヘッド３は、段付の円筒状に形成したハウジング３１と、このハウジング３１に水平方向に伸びる一端１７ａを連結したパイプ１７と、上記ハウジング３１に回転自在に支持したスピンドル３２を備えている。このスピンドル３２の下端部にキャップ１２を着脱自在に保持する保持部３Ａを連結している。
パイプ１７における下方側の端部１７ｂにはカムフォロワ３３を回転自在に取り付けてあり、このカムフォロワ３３は、固定側となる支持部１３Ａに取り付けた環状のカム部材３４のカム面に載置している。
回転体２が時計方向に回転されると、回転体２の回転領域におけるキャップ供給位置Ａとその少し下流側の領域および螺合ゾーンＣにおいて、カム部材３４によってキャッピングヘッド３全体が下降端位置まで下降されてその高さ位置を維持されるようになっている。他方、他の回転体２の回転領域においては、上記カム部材３４によって、キャッピングヘッド３全体が上昇端位置に維持されるようになっている。そして、キャッピングヘッド３が下降端位置となるキャップ供給位置Ａで保持部３Ａがキャップ１２を保持するとともに、螺合ゾーンＣにおいてキャッピングヘッド３の保持部３Ａに保持したキャップ１２を容器４の上端口部に螺合できるようになっている。他方、キャッピングヘッド３が上昇端位置にあるときには、キャッピングヘッド３の保持部３Ａは、載置台６上の容器４の上端口部よりも所定量だけ上方に支持されている。なお、パイプ１７の上方側の外周部と筒状ガイド１６の上端とにわたって緩衝用のばね３５を設けている。
図３に示すように、ハウジング３１の軸方向の中央部には、半径方向の貫通孔３１ａを穿設してあり、この貫通孔３１ａを囲繞して上記パイプ１７の一端１７ａを気密を保持してハウジング３１に連結している。これによって、パイプ１７とハウジング３１の内部空間が連通している。
他方、パイプ１７の下方側の端部１７ｂの下方となる環状部材２５の各位置には貫通孔２５ａを穿設してあり、その貫通孔２５ａの上端に小径の接続パイプ３６の下端部を嵌着している。また、接続パイプ３６の上方側の外周部を上記パイプ１７の下端部１７ｂの内周部に気密を保持して摺動自在に嵌合している。
各貫通孔２５ａは環状部材２５における同心円上の位置に穿設しているが、この同心円の下方側に断面Ｕ字形のダクト部材３７を配置している。ダクト部材３７の底部は、ブラケットを介して固定側の支持部１３Ｂに連結している。それによって、ダクト部材３７の内外の上方縁部を各貫通孔２５ａの内外の位置となる環状部材２５の底面に密着させるとともに、その状態において、環状部材２５がダクト部材３７の上方縁部と気密を保持して摺接するようにしている。
また、上記ダクト部材３７は、別のパイプ３８を介して図示しない負圧源と連通させている。
これにより、本実施例では、パイプ１７、接続パイプ３６、環状部材２５の各貫通孔２５ａ、ダクト部材３７と環状部材２５の底面とによって囲繞した環状の空間およびパイプ３８を介して上記ハウジング３１の内部空間と図示しない負圧源とが連通しており、負圧源からハウジング３１の内部空間に常時負圧が導入されている。このような構成により、ハウジング３１内の回転部分から微小な摩耗粉等が発生したとしても、それを負圧によって吸引することで、ハウジング３１の外部に微小な摩耗粉等が飛散しないように構成している。
次に、スピンドル３２は内部を中空にしてあり、ハウジング３１内に位置するスピンドル３２の外周部の上下位置とハウジング３１の内周部との間には、上下一対のボールベアリング４１，４１を取り付けている。このボールベアリング４１，４１によって、スピンドル３２はハウジング３１に対し回転自在となっており、かつ、スピンドル３２はハウジング３１に対する所定の高さに支持されている。ハウジング３１内に位置するスピンドル３２の所定位置には、半径方向の貫通孔を穿設してあり、これによって、スピンドル３２の内部空間とハウジング３１の内部空間とが連通している。
ハウジング３１における下方側の端部は、上方側よりも縮径させてあり、その縮径させたハウジング３１における下方側の端部に、上記スピンドル３２の下方側の部分を貫通させている。ハウジング３１における下方側端部の内周面とその内方のスピンドル３２の外周面との間には、環状をした間隙４２が維持されている。上述したように、ハウジング３１内には常時負圧が導入されているので、間隙４２を介して大気がハウジング３１内に吸入されるようになっている。
次に、スピンドル３２の下端部に設けた保持部３Ａについて説明すると、図３および図４に示すように、保持部３Ａは概略カップ状をしたハウジング４３を備えるとともに、ハウジング４３内に設けた３枚一組の係合部材４４を備えている。上記３枚一組の係合部材４４の上方部はハウジング４３側の支持軸４５によって貫通されており、この支持軸４５を中心に揺動できるようになっている。各係合部材４４には、それらの下方側の箇所を囲繞して円弧状のばね４６を取り付けている。このばね４６の付勢力によって、各係合部材４４の下方側の部分は、常時内方側にむけて付勢されている。
このように構成しているので、キャップ１２を保持していない状態の保持部３Ａが下降されると、その下方側に位置するキャップ１２は、上記ばね４６が拡開されることによって、各係合部材４４によって保持される。他方、その状態から保持部３Ａが回転されて、キャップ１２が容器４の上端口部に取り付けられた後に、再度保持部３Ａが上昇されると、各係合部材４４とキャップ１２との摩擦力が弱いので、各係合部材４４によるキャップ１２の保持状態は解除されるようになっている。
なお、図３に示すように、この保持部３Ａのハウジング４３の内方部と上記スピンドル３２の内部空間も連通させてあり、したがって、キャッピングヘッド３のハウジング３１に負圧が導入されていることにより、保持部３Ａのハウジング４３の下端開口から大気が吸引されて、該大気はスピンドル３２の内部空間およびハウジング３１の内部空間を経由してパイプ１７内に吸引されるようになっている。
次に、スピンドル３２の上端部は、ハウジング３１を貫通させて上方に突出させてあり、このスピンドル３２の上端部に概略カップ状をした支持部材４７を連結している。支持部材４７の下部には、下方側にむけて突出する内方筒状部４７ａと外方筒状部４７ｂを形成してあり、内方筒状部４７ａをスピンドル３２の上端外周部に嵌着すると同時にハウジング３１内に挿入している。ハウジング３１の上端外周部３１ｂは、わずかに半径方向外方に膨出させてフランジ状に形成してあり、この上端外周部３１ｂおよびその隣接下方側の外周部は、支持部材４７の外方筒状部４７ｂと内方筒状部４７ａおよびそれらの境界部分によって囲繞している。このように構成することにより、ハウジング３１の上端部およびその隣接下方側の内周部と、それらの箇所と対向する支持部材４７の内方筒状部４７ａと外方筒状部４７ｂおよびその境界部分とに環状の間隙４８が形成されている。上述したように、ハウジング３１の上端外周部３１ｂをフランジ状としたことにより、上記間隙４８は実質的にラビリンス状となっている。そして、ハウジング３１に負圧が導入されていることに伴って、この間隙４８を介してハウジング３１内に大気を吸入することができるようになっている。
さらに、図３および図５に示すように、支持部材４７における上方側の外周部の全域に、円弧状をした複数個（８個）の永久磁石５１を埋設している。図５に示すように、相互に隣り合う位置の各永久磁石は異なる磁極となるように、各永久磁石５１を配置している。
また、永久磁石５１を設けた支持部材４７の近接外方位置には、ハウジング３１に連結したブラケットの上端に位置決め用の永久磁石５２を支持している。この永久磁石５２の磁極は例えばＮ極のものを採用している。
次に、図２ないし図６に示すように、上述した螺合ゾーンＣの全域にわたって、円弧状の回転付与部材５３を配置している。図１に示すように、回転体２の円筒部２Ａには、図示しない固定フレームに立設した支持軸５４を貫通させてあり、この支持軸５４の上端部にブラケットを介して上記回転付与部材５３を連結している。回転付与部材５３は水平に支持されており、かつ永久磁石５１を設けた支持部材４７の移動軌跡の内方側の近接位置に位置させている。
この回転付与部材５３における外方側の縁部には、支持部材４７の移動軌跡に沿って多数の永久磁石５５を隣接させて一列に配置している。
これらの永久磁石５５も、相互に隣り合う位置の各永久磁石が異なる磁極となるように配置している。
上述したように構成しているので、本実施例では、図６に示すように、キャッピングヘッド３が螺合ゾーンＣを移動する際に、キャッピングヘッド３に設けた永久磁石５１の磁力と固定側となる永久磁石５５の磁力とが相互に作用しあうようになっており、それによって、螺合ゾーンＣ内のキャッピングヘッド３が時計方向に回転されるようになっている。
なお、キャッピングヘッド３の隣接位置には位置決め用の永久磁石５２を設けているので、キャッピングヘッド３が螺合ゾーンＣよりも上流側にあるときに、位置決め用の永久磁石５２と支持部材４７の永久磁石５１の１つとが相互に吸着し合うことでキャッピングヘッド３が自転する際の以前の回転位置を決めるようにしている。これにより、キャッピングヘッド３が螺合ゾーンＣ内を移動する際に、上述したように必ず時計方向に回転されるようになっている。
上述した本実施例では、上記固定側となる多数の永久磁石５５とキャッピングヘッド３のスピンドル３２側の永久磁石５１とによって、スピンドル３２を回転させる駆動源を構成している。
そして、上述した構成によって、保持部３Ａにキャップ１２を保持した状態のキャッピングヘッド３が螺合ゾーンＣ内を移動することにより、上述したようにスピンドル３２が時計方向に回転され、かつ上述したカム部材３３によってキャッピングヘッド３そのものが下降されるので、保持部３Ａに保持したキャップ１２が容器４の上端口部に螺合される。
本実施例では、スピンドル３２を回転させる駆動源には、相互に回転して摩滅するような箇所がない。そのため、キャッピングヘッド３の駆動源から微小な摩耗粉等が発生することはない。したがって、そのような摩耗粉等によって、キャッピング装置１を設けた周囲の作業領域が汚染されるようなことがない。
さらに、本実施例では、ハウジング３１内に常時負圧を導入するように構成してあり、それに伴ってハウジング３１の上下位置に形成される間隙４８，４２および保持部３Ａの下方開口から大気がハウジング３１内に吸入されるようになっている。ハウジング３１内に吸入された大気は、上述したパイプ１７などを介してハウジング３１の外部に排出される。このように、保持部３Ａ内およびハウジング３１内の大気を負圧によって吸引することによって、保持部３Ａ内およびハウジング３１内の摩擦部分等から微小な摩耗粉が発生したとしても、その摩耗粉が保持部３Ａの下方開口やハウジング３１の上下の開口部から外方に飛散することがない。したがって、キャッピングヘッド３内で微小な摩耗粉等が発生したとしても、それらの摩耗粉等によってキャッピング装置１を設けた周囲の作業環境が汚染されることを良好に防止することができる。
このように本実施例によれば、キャッピングヘッド３の駆動源そのものから摩耗粉等が発生することを防止するとともに、キャッピングヘッド３内で生じた微小な摩耗粉等は負圧で吸引するようにしているので、従来に比較してキャッピング装置１を設けた周囲の作業環境を良好な状態に維持することができる。
（第２実施例）
次に、図７は本発明の第２実施例を示したものである。上述した第１実施例では、キャッピングヘッド３の駆動源として永久磁石５１，５２を用いているが、この第２実施例では、キャッピングヘッド３の駆動源としてサーボモータ６１を採用している。ここでは、サーボモータ６１をキャッピングヘッド３のハウジング３１上方内部に収納してあり、このサーボモータ６１の駆動軸にスピンドル３２の上端部を連結している。また、この第２実施例では、ハウジング３１の上端に開口部３１ａを形成し、かつその開口部３１ａとサーボモータ６１のケーシングに設けた図示しない開口部とを連通させている。また、ハウジング３１の下端開口部３１Ｂとスピンドル３２の外周部との間に間隙４２を形成している。
ハウジング３１の所定位置には貫通孔を穿設し、そこに上述した第１実施例と同様にパイプ１７を接続してあり、パイプ１７を介してハウジング３１の内部空間に負圧を導入するようにしている。
また、中空としたスピンドル３２の下端部と、そこに取り付けた保持部３Ａのハウジング４５内とを連通させ、それによって保持部３Ａのハウジング４５の下方開口とハウジング３１の内部空間とを連通させている。
この第２実施例においては、キャッピングヘッド３内のサーボモータ６１およびスピンドル３２の回転部分等で微小な摩耗粉を発生したとしても、ハウジング３１内に導入した負圧によって微小な摩耗粉を大気とともに吸引することができる。これによって、キャッピングヘッド３の周囲の作業領域が汚染されることを良好に防止することができる。
なお、上述した第１の実施例においては、永久磁石５５を配置した回転付与部材５３を、キャッピングヘッド３の移動軌跡よりも内方側に設けているが、回転体２を反時計方向に回転させる場合には、永久磁石５５を配置した回転付与部材５３をキャッピングヘッド３の移動軌跡よりも外方側に配置することはいうまでもない。
【０００７】
【発明の効果】
以上のように、本発明によれば、キャッピングヘッドで発生した微小な摩耗粉によってキャッピング装置を設けた作業領域が汚染されることを良好に防止することができるという効果が得られる。
【図面の簡単な説明】
【図１】本発明の一実施例を示す概略の配置図
【図２】図１のＩＩ−ＩＩ線に沿う断面図
【図３】図２の要部の拡大図
【図４】図３のＩＶ−ＩＶ線に沿う断面図
【図５】図３に示した要部の円周方向における配置関係を示す平面図
【図６】図２の要部の平面図
【図７】本発明の他の実施例を示す断面図
【符号の説明】
１  キャッピング装置                  ２  回転体
３  キャッピングヘッド                ３Ａ  保持部
４  容器                              １２  キャップ
３１  ハウジング
【図１】
0003601236.tif 000002
【図２】
0003601236.tif 000003
【図３】
0003601236.tif 000004
【図４】
0003601236.tif 000005
【図５】
0003601236.tif 000006
【図６】
0003601236.tif 000007
【図７】
0003601236.tif 000008